(57)【特許請求の範囲】
【請求項１】
苗を載置する苗載せ部を横方向に複数配置して苗載せ台を形成し、展開状態において少なくとも横方向最外側に位置する可動苗載せ部を固定苗載せ部に折り畳み可能とした多条田植機において、
前記可動苗載せ部の背面の縦方向の上下に、一端を前記可動苗載せ部の横方向外側部に回動自在に軸着され他端を前記固定苗載せ部側に回動自在に軸着された一対のリンクアームを設け、
該一対のリンクアームを橋絡部材により連結し一体構造とし、
前記可動苗載せ部の背面で該可動苗載せ部を支持する前記一対のリンクアームの横方向外側の回動軸の略中央に、苗載せ面に対して横方向下側に傾斜する把手を設け、
該把手により前記可動苗載せ部を折り畳み操作可能とした、
ことを特徴とする多条田植機。
【発明の詳細な説明】
【０００１】
【産業上の利用分野】
本発明は、複数の苗載せ部を横方向に配置した多条田植機に係り、詳しくは展開および折り畳み可能な苗載せ台の構造に関する。
【０００２】
【従来の技術】
多条田植機は、苗を載置した苗載せ部を横方向に複数配置して苗載せ台を形成し、展開状態において横方向最外側に位置する可動苗載せ部を固定苗載せ部に折り畳み可能としたものであるが、条数が多くなるほど、機体から左右横方向に突出する量が大きくなるため、一般の路上を走行する時は車両基準に合わず、従って例えば左右の最外側に位置する可動苗載せ部を固定苗載せ部に対して折り畳むようにしている。
【０００３】
このような多条田植機の一例として、最外側に位置する可動苗載せ部を、該可動苗載せ部の背面の縦方向の上下に設けた夫々のリンクアームにより支持し、折り畳み時には可動苗載せ部を横方向に引き出して、その状態から可動苗載せ部を起こして回転させることにより、前記可動苗載せ部を固定苗載せ部に対して重合配置するようにしたものがある。また、前記可動苗載せ部の引き出し操作を容易にするために、可動苗載せ部の横方向外側に把手を設けたものもある。
【０００４】
【発明が解決しようとする課題】
このような多条田植え機において、可動苗載せ部を支持するために可動苗載せ部の縦方向の上下に設けた夫々のリンクアームが単独で構成された場合は、回動作用を行うリンクアームの支点部のガタにより全体的に支持部にガタが発生し、可動苗載せ部の折り畳みをスムーズに行うことが困難となる。
【０００５】
また、展開状態において固定苗載せ部に対し可動苗載せ部を１点で支持する構成とした場合は、支持が不安定となって展開状態において固定苗載せ部と可動苗載せ部が水平にならず傾きを生じて、通常の作業状態に支障をきたすことになる。
【０００６】
更に、折り畳み時に可動苗載せ部を横方向にそのまま引き出して、その状態から可動苗載せ部を起こして回転させると、苗台を仕切るスクレイパーがエプロンに挟まった状態となっているため、スクレイパーの先端部分に過大負荷が作用してスクレイパーの破損に至るおそれがある。
【０００７】
更にまた、可動苗載せ部に引き出し用の把手を設けたものは、この把手を可動苗載せ部と略水平に設けてあるため、可動苗載せ部から把手が大きくはみ出して苗載せ台の左右動のときに他の物体と当接したり、操作しにくい等の課題があった。
【０００８】
この発明は、斯かる課題を解決するためになされたもので、その目的とするところは、可動苗載せ部を支持する支持部材の回動支点部におけるガタの発生を防止して可動苗載せ部の支持を安定化させると共に、可動苗載せ部の折り畳み時に他の部材との干渉を防止して折り畳み操作をスムーズにできるようにした多条田植機を提供することにある。
【０００９】
【課題を解決するための手段】
この目的を達成するため、本発明は、苗を載置する苗載せ部（１３ａ，１３ｂ）を横方向に複数配置して苗載せ台（１２）を形成し、展開状態において少なくとも横方向最外側に位置する可動苗載せ部（１３ｂ）を固定苗載せ部（１３ａ）に折り畳み可能とした多条田植機（１）において、
前記可動苗載せ部（１３ｂ）の背面の縦方向の上下に、一端を可動苗載せ部（１３ｂ）の横方向外側部に回動自在に軸（２１）着され他端を前記固定苗載せ部（１３ａ）側に回動自在に軸（３２）着された一対のリンクアーム（２０，２０）を設け、
該一対のリンクアーム（２０，２０）を橋絡部材（５５ａ，５５ｂ）により連結し一体構造とし、
前記可動苗載せ部（１３ｂ）の背面で該可動苗載せ部（１３ｂ）を支持する前記一対のリンクアーム（２０，２０）の横方向外側の回動軸（２１）の略中央に、苗載せ面に対して横方向下側に傾斜する把手（６０）を設け、
該把手（６０）により前記可動苗載せ部（１３ｂ）を折り畳み操作可能とした、ことを特徴とする。
【００１３】
【作用】
以上の構成に係る本発明によれば、可動苗載せ部（１３ｂ）の背面の縦方向の上下に、一端を可動苗載せ部（１３ｂ）の横方向外側部に回動自在に軸（２１）着され、かつ他端を固定苗載せ部（１３ａ）側に回動自在に軸（３２）着された一対のリンクアーム（２０，２０）を設け、しかもこれら一対のリンクアーム（２０，２０）を橋絡部材（５５ａ，５５ｂ）により一体的に連結したので、この橋絡部材（５５ａ，５５ｂ）によりリンクアーム（２０，２０）の強度アップが図られ、回動支点部におけるガタの発生が防止されると共に、可動苗載せ部（１３ｂ）の支持を安定化することが可能となる。
また、可動苗載せ部の背面で該可動苗載せ部を支持する一対のリンクアームの横方向外側の回動軸の略中央に、苗載せ面に対して横方向下側に傾斜する把手を設けたので、可動苗載せ部の引き出しから折り畳みまでの操作をスムーズに行うことが可能となる。
【００１４】
なお、上述したカッコ内の符号は図面を参照するために示すものであって、本発明の構成をなんら限定するものではない。
【００１５】
【実施例】
以下、図面に基づき本発明の実施例を説明する。
【００１６】
図１は、この発明の苗載せ装置を装着した乗用の多条田植え機を示すもので、乗用田植え機１はその前側が走行車２となっており、その後側に苗載せ装置３が昇降リンク機構５を介して装着・支持されている。
【００１７】
前記走行車２は、前輪６および後輪７により支持されている走行機体８を有しており、この走行機体８の前輪６より前方にエンジン部９が搭載されている。また、前記苗載せ装置３は、その下部にフロート１０が配置され、このフロート１０の上方に植付け装置１１が配置されると共に、この植付け装置１１の上方には苗載せ台１２が、斜め前方に向けて傾斜して配設されている。
【００１８】
この苗載せ台１２は、図２に示すように、複数条の苗を載置する固定苗載せ部１３ａと、同様に複数条の苗を載置する可動苗載せ部１３ｂと、これら固定苗載せ部１３ａおよび可動苗載せ部１３ｂを載置・慴動するエプロン１５とから成る。前記固定苗載せ部１３ａは横方向に複数配置され、この固定苗載せ部１３ａの横方向の更に外側に前記可動苗載せ部１３ｂが配置されている。
【００１９】
以上において、本発明においては、前記可動苗載せ部１３ｂの背面の縦方向の上下に、一端を可動苗載せ部１３ｂの横方向外側部に回動自在に軸着され他端を固定苗載せ部１３ａ側に回動自在に軸着された一対のリンクアームを設けると共に、これら一対のリンクアームを橋絡部材により連結し一体構造としている。
【００２０】
すなわち、図３〜図６に示すように、前記可動苗載せ部１３ｂの背面の縦方向の上下には、一端を可動苗載せ部１３ｂの横方向外側部において支点軸２１により回動自在に軸着され、かつ他端を固定苗載せ部１３ａ側において枢軸３２，３２により回動自在に軸着された一対のリンクアーム２０，２０が設けられている。そして、これら一対のリンクアーム２０，２０は、橋絡部材としての補強軸５５ａ，５５ｂにより夫々一体的に連結されている。
【００２１】
なお、可動苗載せ部１３ｂの背面には、断面Ｌ形の固定金具２２，２２がボルト２３，２３により取り付けられていて、この固定金具２２，２２は前記支点軸２１により連結補強されている。
【００２２】
一方、固定苗載せ部１３ａの背面には、ボルト２６，２６により断面Ｌ形の金具２５，２５が前記の固定金具２２，２２に略対応して取り付けられていて、この金具２５，２５はステー２４により連結補強されている。このステー２４の両端側には、断面Ｕ字形のガイドプレート２７，２７が取り付けられていて、このガイドプレート２７の側壁には長手方向に沿い長孔３０が穿設されていると共に、ガイドプレート２７の一側端面には長孔３０と同方向に伸びるガイド面５６が形成されている。
【００２３】
そして、このガイドプレート２７における断面Ｕ字形の側壁内に、リンクアーム２０の他端部が挟装されていて、このリンクアーム２０の他端部とガイドプレート２７の側壁とを貫通するように、前記枢軸３２が長孔３０内を摺動自在に取り付けられている。これにより、リンクアーム２０はガイドプレート２７に対し回動自在に軸（３２）着されると共に、前記枢軸３２を介してガイドプレート２７の長孔３０に沿い苗載せ台１２の横方向外側に引き出し可能となっている。
【００２４】
また、リンクアーム２０の前記枢軸３２に近い側にはガイドピン５７が植設されていて、ガイドプレート２７の前記ガイド面５６にこのガイドピン５７が当接することにより、前記長穴３０とこのガイド面５６とで可動苗載せ部１３ｂを固定苗載せ部１３ａに対し略水平に保持するようにしている。
【００２５】
更に、前記ガイド面５６の引き出し方向の終端部には突起部５８が形成されていて、可動苗載せ部１３ｂを横方向外側に引き出すとき、前記枢軸３２が長孔３０の終端部に位置する時点で、前記ガイドピン５７がこの突起部５８に乗り上げることになる。このため、可動苗載せ部１３ｂは枢軸３２を中心としてわずかに上方（図の時計方向）へ回動し、これによりスクレイパー６１がエプロン６２から離れ、該スクレイパー６１の破損が未然に防止される。
【００２６】
次に、可動苗載せ部１３ｂの背面に設けられた前記支点軸２１には、該支点軸２１と一体的に支持部材５９が溶接固定されており、更にこの支持部材５９には把手６０が取り付けられている。しかも、この把手６０を苗載せ面に対して横方向下側に傾斜して設けていて、この把手６０を利用することにより、可動苗載せ部１３ｂの引き出しから折り畳み操作までスムーズに行うことができる。
【００２７】
なお、前記可動苗載せ部１３ｂの背面には、展開状態の可動苗載せ部１３ｂと固定苗載せ部１３ａとを連結する連結部材３３が設けられている。この連結部材３３は手元側にハンドルを有し、かつ連結杆３３ａとネジ部３３ｂとを有している。前記連結杆３３ａは、可動苗載せ部１３ｂの背面の横方向両端部を貫通するようにして設けられている。
【００２８】
そして、図６に示すように、可動苗載せ部１３ｂは、展開状態においては、固定苗載せ部１３ａ側に設けられたナット部３３ｄに連結部材３３のネジ部３３ｂが螺合されると共に、図５に示すように、接合部４０の縦方向の中間部においてクランプ部材４４ａ，４４ｂにより連結され、更に接合部４０の縦方向の上部においてクランプ部材４４ｃ，４４ｄにより連結される。
【００２９】
また、折り畳み状態においては、図４（ａ）および図９に示すように、可動苗載せ部１３ｂに隣接する固定苗載せ部１３ａの表面側に立設された起立部材３４にナット部３４ａが設けられていて、このナット部３４ａに前記連結部材３３のネジ部３３ｂが螺合されると共に、固定苗載せ部１３ａ側に設けられた係合凸部３４ｂに、可動苗載せ部１３ｂ側に設けられた係合凹部３３ｃ（図８参照）が係合されて、可動苗載せ部１３ｂが保持される。こうして、苗載せ台１２の折り畳み状態では、固定苗載せ部１３ａと可動苗載せ部１３ｂとの同じ面を同一方向に向けて重合配置されることになる。
【００３０】
また、図４（ａ）（ｂ）および図５に示すように、前記固定苗載せ部１３ａと可動苗載せ部１３ｂには、夫々植付け装置１１に苗を送るコンベヤベルトから成る苗搬送部１６ａ，１６ｂが装着されている。これら固定苗載せ部１３ａの苗搬送部１６ａと可動苗載せ部１３ｂの苗搬送部１６ｂは、駆動軸によって駆動される。また、固定苗載せ部１３ａと可動苗載せ部１３ｂのそれぞれの苗載置面には苗押えガイド１７が装着されている。
【００３１】
前記苗押えガイド１７は、図３および図１０に示すように、前記固定苗載せ部１３ａと可動苗載せ部１３ｂのそれぞれの苗載置面において、リブ５４に固定された取付金具６３に上下調節自在に装着されている。すなわち、図４（ａ）に示すように、固定苗載せ部１３ａと可動苗載せ部１３ｂの接合部４０には、２分割されて対向配置されたリブ５４ａ，５４ｂが形成され、かつその対向面が開放状態となった穴に前記苗押えガイド１７が挿入装着されている。このため、前記リブ５４ａ，５４ｂに夫々取付プレート６５，６５を設け、この取付プレート６５，６５間に苗押えガイド１７の支持部を係止する止め具６４をリベットにより上下に位置ズレさせて設けている。この止め具６４，６４を上下に位置ズレさせて設けることにより、該止め具６４，６４の相互間の接触による干渉を防止して苗押えガイド１７の穴からの離脱を防止している。これにより、可動苗載せ部１３ｂが折り畳み状態にあっても、苗押えガイド１７がリブ５４から外れることはない。
【００３２】
また、図３に示すように、縦送りベルトを巻き掛けするローラ軸の縦送り軸受けブラケット４１と前記ガイドプレート２７とをボルト４３により連結して、リンクアーム２０を支持するガイドプレート２７の強度を増加させると共に、リブ５４の補強をも行うようにしている。
【００３３】
更に、前記縦送り軸受けブラケット４１に中間金具４２を上下動自在に締結し、この中間金具４２を介して苗係止用の前板部材６６を苗載せ台１２の縦方向下方に伸長させてから上方に反り返るように延設することで、前板部材６６の剛性を高めると共に、ビーク６７との隙間調整も容易にできるようにしている。
【００３４】
次に、図６〜図９に基づき本実施例の作用を説明する。
【００３５】
図６は、固定苗載せ部１３ａと可動苗載せ部１３ｂが横方向に配置された展開状態を示し、この状態から可動苗載せ部１３ｂを折り畳むには、連結部材３３のハンドルを操作して連結杆３３ａを固定苗載せ部１３ａ側のナット部３３ｄから外す。続いて、把手６０を掴んでこれを横方向外側に引っ張ると、図７に示すように、リンクアーム２０はその枢軸３２とガイドピン５７が長孔３０とガイド面５６に沿ってスライドし、可動苗載せ部１３ｂが固定苗載せ部１３ａから引き出される。更に、前記リンクアーム２０を横方向外側に引っ張ると、リンクアーム２０の枢軸３２が長孔３０の端部に当接されると共に、ガイドピン５７がガイド面５６の突起部５８に乗り上げる。これにより、リンクアーム２０および可動苗載せ部１３ｂは、枢軸３２を中心として内側（時計方向）に若干回転して傾斜する。
【００３６】
次に、図８に示すように、可動苗載せ部１３ｂを支点軸２１を中心として外側（反時計方向）に回動させると、可動苗載せ部１３ｂに固定された固定金具２２がストッパピン３７に当たり、可動苗載せ部１３ｂはその位置で停止する。
【００３７】
続いて、図９に示すように、図８の状態から把手６０を掴み、リンクアーム２０と可動苗載せ部１３ｂを同時に内側（時計方向）に回転させて、リンクアーム２０を略直角状態に起立配置させる。そして、連結部材３３のハンドルを操作し、連結杆３３ａの先端のネジ部３３ｂを起立部材３４のナット部３４ａに螺合させ、更に可動苗載せ部１３ｂ側の係合凹部３３ｃ（図８参照）を固定苗載せ部１３ａ側の係合凸部３４ｂに係合させる。
これにより、固定苗載せ部１３ａと可動苗載せ部１３ｂの同じ面を同一方向に向けた折り畳み状態に重合配置することができる。
【００３８】
【発明の効果】
以上説明した通り、本発明によれば、可動苗載せ部の背面の縦方向の上下に一対のリンクアームを設け、このリンクアームを橋絡部材により一体的に連結したことにより、回動支点部のガタの発生が防止されて可動苗載せ部の支持を安定化することができる。
【００４１】
更に、可動苗載せ部の背面で該可動苗載せ部を支持する一対のリンクアームの横方向外側の回動軸の略中央に、苗載せ面に対して横方向下側に傾斜する把手を設けたので、可動苗載せ部の引き出しから折り畳みまでの操作をスムーズに行うことができる。そして、この把手をリンクアームの略中央に設けてあるので、バランス良くかつ楽に可動苗載せ部をセットしたり折り畳んだりすることができる。また、前記把手を苗載せ面に対して横方向下側に傾斜して設けたことにより、苗載せ面から横方向へのはみだしを少なくすることができる。
【図面の簡単な説明】
【図１】苗載せ装置を折り畳んだ状態の多条田植機の側面図である。
【図２】苗載せ装置を展開した状態の多条田植機の平面図である。
【図３】苗載せ装置を折り畳んだ状態の多条田植機の要部側面図である。
【図４】（ａ）は多条田植機の苗搬送部を示す概略平面図であり、（ｂ）はその正面図である。
【図５】苗載せ装置を展開した状態の平面図である。
【図６】苗載せ装置を展開した状態の正面図である。
【図７】リンクアームを横方向に少し引き出した状態の正面図である。
【図８】リンクアームを横方向に引き出した後、可動苗載せ部を外側に回動させた状態の正面図である。
【図９】可動苗載せ部を折り畳んだ状態の正面図である。
【図１０】苗押えガイドを止め具で係止した状態を示す拡大図である。
【符号の説明】
１      乗用田植え機
２      走行車
３      苗載せ装置
１１    植付け装置
１２    苗載せ台
１３ａ  固定苗載せ部
１３ｂ  可動苗載せ部
２０    リンクアーム
２１    支点軸
２２    固定金具
２４    ステー
２５    金具
２６    ボルト
２７    ガイドプレート
３０    長孔
３２    枢軸
３３    連結部材
３３ａ  連結杆
３３ｂ  ネジ部
３３ｃ  係合凹部
３３ｄ  ナット部
３４    起立部材
３４ａ  ナット部
３４ｂ  係合凸部
３７    ストッパピン
４０    接合部
４１    縦送り軸受けブラケット
５５ａ，５５ｂ  補強軸
５６    ガイド面
５７    ガイドピン
５８    突起部
５９    支持部材
６０    把手
【図１】
0003556717.tif 000002
【図２】
0003556717.tif 000003
【図３】
0003556717.tif 000004
【図４】
0003556717.tif 000005
【図５】
0003556717.tif 000006
【図６】
0003556717.tif 000007
【図７】
0003556717.tif 000008
【図８】
0003556717.tif 000009
【図９】
0003556717.tif 000010
【図１０】
0003556717.tif 000011